【手続補正書】
【提出日】平成19年2月2日(2007.2.2)
【手続補正１】
【補正対象書類名】明細書
【補正対象項目名】特許請求の範囲
【補正方法】変更
【補正の内容】
【特許請求の範囲】
【請求項１】
所定のディスプレイ装置に主画像を表示するための画像データである主画像データを生成する主画像データ生成手段と、
遊戯者が入力手段を操作して入力した操作内容に基づいて、前記ディスプレイ装置に表示された主画像中の所定範囲を選択画像として決定し、該選択画像についての画像データである選択画像データを生成する選択画像データ生成手段と、
該選択画像データを、選択画像データを送る所定の送信手段を介して遊戯者に提供するための選択画像データ提供手段と、
を備えており、選択画像をカメラで撮影した画像とみなすことで、遊戯者に撮影行為を擬似体験させるように構成されている、
撮影行為シミュレーション装置。
【請求項２】
所定の入力手段から遊戯者が入力した操作内容に基づいて撮影行為シミュレーション処理の実行を制御する制御手段を備えたコンピュータにて実行される方法であって、
前記制御手段が、
所定のディスプレイ装置に主画像を表示するための画像データである主画像データを生成する処理、
遊戯者が前記入力手段を操作して入力した操作内容に基づいて、前記ディスプレイ装置に表示された主画像中の所定範囲を選択画像として決定し、該選択画像についての画像データである選択画像データを生成する処理、
該選択画像データを、選択画像データを送る所定の送信手段を介して遊戯者に提供する処理、
を含み、
選択画像をカメラで撮影した画像とみなすことで、遊戯者に撮影行為を擬似体験させる、
撮影行為シミュレーション方法。
【請求項３】
所定の入力手段から遊戯者が入力した操作内容に基づいて撮影行為シミュレーション処理の実行を制御するための制御手段を備えたコンピュータを、撮影行為を遊戯者に擬似体験させる撮影行為シミュレーション装置として機能させるためのプログラムコードが記録された記録媒体であって、
該プログラムコードは、
前記制御手段に、
所定のディスプレイ装置に主画像を表示するための画像データである主画像データを生成する処理、
遊戯者が前記入力手段を操作して入力した操作内容に基づいて、前記ディスプレイ装置に表示された主画像中の所定範囲を選択画像として決定し、該選択画像についての画像データである選択画像データを生成する処理、
該選択画像データを、選択画像データを送る所定の送信手段を介して遊戯者に提供する処理、
を実行させるものとしてコンピュータ可読の形態で記録されている、
記録媒体。
【請求項４】
所定のディスプレイ装置に主画像を表示するための画像データである主画像データを生成する主画像データ生成手段と、
遊戯者が入力手段を操作して入力した操作内容に基づいて、前記ディスプレイ装置に表示された主画像中の所定範囲を選択画像として決定し、該選択画像についての画像データである選択画像データを生成する選択画像データ生成手段と、
前記選択画像データを記録する記録手段と、
前記選択画像データを記録した記録手段から前記選択画像データを読み出し可能とされた手段に通信回線経由でアクセスするためのアクセス情報を、所定の条件下で遊戯者に提示するアクセス情報提示手段と、
を備えており、選択画像をカメラで撮影した画像とみなすことで、遊戯者に撮影行為を擬似体験させるように構成されている、
ゲーム装置。
【請求項５】
所定の入力手段から遊戯者が入力した操作内容に基づいて撮影行為シミュレーションゲーム処理の実行を制御する制御手段と、記録手段と、を備えたコンピュータにて実行される方法であって、
前記制御手段が、
所定のディスプレイ装置に主画像を表示するための画像データである主画像データを生成する処理、
遊戯者が前記入力手段を操作して入力した操作内容に基づいて、前記ディスプレイ装置に表示された主画像中の所定範囲を選択画像として決定し、該選択画像についての画像データである選択画像データを生成する処理、
前記選択画像データを前記記録手段に記録する処理、
前記選択画像データを記録した記録手段から前記選択画像データを読み出し可能とされた手段に通信回線経由でアクセスするためのアクセス情報を、所定の条件下で遊戯者に提示する処理、
を含み、
選択画像をカメラで撮影した画像とみなすことで、遊戯者に撮影行為を擬似体験させる、
ゲーム装置の制御方法。
【請求項６】
所定の入力手段から遊戯者が入力した操作内容に基づいて撮影行為シミュレーションゲーム処理の実行を制御するための制御手段と、記録手段と、を備えたコンピュータを、撮影行為を遊戯者に擬似体験させるゲーム装置として機能させるためのプログラムコードが記録された記録媒体であって、
該プログラムコードは、
前記制御手段に、
所定のディスプレイ装置に主画像を表示するための画像データである主画像データを生成する処理、
遊戯者が前記入力手段を操作して入力した操作内容に基づいて、前記ディスプレイ装置に表示された主画像中の所定範囲を選択画像として決定し、該選択画像についての画像データである選択画像データを生成する処理、
前記選択画像データを前記記録手段に記録する処理、
前記選択画像データを記録した記録手段から前記選択画像データを読み出し可能とされた手段に通信回線経由でアクセスするためのアクセス情報を、所定の条件下で遊戯者に提示する処理、
を実行させるものとしてコンピュータ可読の形態で記録されている、
記録媒体。
【請求項７】
所定のディスプレイ装置に主画像を表示するための画像データである主画像データを生成する主画像データ生成手段と、
遊戯者が入力手段を操作して入力した操作内容に基づいて、前記ディスプレイ装置に表示された主画像中の所定範囲を選択画像として決定し、該選択画像についての画像データである選択画像データを生成する選択画像データ生成手段と、
前記選択画像データを記録する記録手段と、
遊戯者が入力した前記選択画像データを送るべき電子メールアドレスを受け付ける電子メールアドレス受け付け手段と、
前記記録手段から前記選択画像データを読出し、それを前記電子メールアドレスに送る手段と、
を備えており、選択画像をカメラで撮影した画像とみなすことで、遊戯者に撮影行為を擬似体験させるように構成されている、
ゲーム装置。
【請求項８】
所定の入力手段から遊戯者が入力した操作内容に基づいて撮影行為シミュレーションゲーム処理の実行を制御する制御手段と、記録手段と、を備えたコンピュータにて実行される方法であって、
前記制御手段が、
所定のディスプレイ装置に主画像を表示するための画像データである主画像データを生成する処理、
遊戯者が前記入力手段を操作して入力した操作内容に基づいて、前記ディスプレイ装置に表示された主画像中の所定範囲を選択画像として決定し、該選択画像についての画像データである選択画像データを生成する処理、
前記選択画像データを前記記録手段に記録する処理、
遊戯者が入力した前記選択画像データを送るべき電子メールアドレスを受け付ける処理、
前記記録手段から前記選択画像データを読出し、それを前記電子メールアドレスに送る処理、
を含み、
選択画像をカメラで撮影した画像とみなすことで、遊戯者に撮影行為を擬似体験させる、
ゲーム装置の制御方法。
【請求項９】
所定の入力手段から遊戯者が入力した操作内容に基づいて撮影行為シミュレーションゲーム処理の実行を制御するための制御手段と、記録手段と、を備えたコンピュータを、撮影行為を遊戯者に擬似体験させるゲーム装置として機能させるためのプログラムコードが記録された記録媒体であって、
該プログラムコードは、
前記制御手段に、
所定のディスプレイ装置に主画像を表示するための画像データである主画像データを生成する処理、
遊戯者が前記入力手段を操作して入力した操作内容に基づいて、前記ディスプレイ装置に表示された主画像中の所定範囲を選択画像として決定し、該選択画像についての画像データである選択画像データを生成する処理、
前記選択画像データを前記記録手段に記録する処理、
遊戯者が入力した前記選択画像データを送るべき電子メールアドレスを受け付ける処理、
前記記録手段から前記選択画像データを読出し、それを前記電子メールアドレスに送る処理、
を実行させるものとしてコンピュータ可読の形態で記録されている、
記録媒体。
【請求項１０】
所定のディスプレイ装置に主画像を表示するための画像データである主画像データを生成する主画像データ生成手段と、
遊戯者が入力手段を操作して入力した操作内容に基づいて、前記ディスプレイ装置に表示された主画像中の所定範囲を選択画像として決定し、該選択画像についての画像データである選択画像データを生成する選択画像データ生成手段と、
前記選択画像データを記録する記録手段と、
所定の携帯情報端末と接続可能であり、前記記録手段に記録された前記選択画像データを前記携帯情報端末へ送ることのできる接続手段と、
を備えており、選択画像をカメラで撮影した画像とみなすことで、遊戯者に撮影行為を擬似体験させるように構成されている、
ゲーム装置。
【請求項１１】
所定の入力手段から遊戯者が入力した操作内容に基づいて撮影行為シミュレーションゲーム処理の実行を制御する制御手段と、記録手段と、所定の携帯情報端末に接続可能な接続手段と、を備えたコンピュータにて実行される方法であって、
前記制御手段が、
所定のディスプレイ装置に主画像を表示するための画像データである主画像データを生成する処理、
遊戯者が前記入力手段を操作して入力した操作内容に基づいて、前記ディスプレイ装置に表示された主画像中の所定範囲を選択画像として決定し、該選択画像についての画像データである選択画像データを生成する処理、
前記選択画像データを前記記録手段に記録する処理、
前記接続手段を介して、前記記録手段に記録された前記選択画像データを前記携帯情報端末へ送る処理、
を含み、
選択画像をカメラで撮影した画像とみなすことで、遊戯者に撮影行為を擬似体験させる、
ゲーム装置の制御方法。
【請求項１２】
所定の入力手段から遊戯者が入力した操作内容に基づいて撮影行為シミュレーションゲーム処理の実行を制御するための制御手段と、記録手段と、所定の携帯情報端末と接続可能な接続手段と、を備えたコンピュータを、撮影行為を遊戯者に擬似体験させるゲーム装置として機能させるためのプログラムコードが記録された記録媒体であって、
該プログラムコードは、
前記制御手段に、
所定のディスプレイ装置に主画像を表示するための画像データである主画像データを生成する処理、
遊戯者が前記入力手段を操作して入力した操作内容に基づいて、前記ディスプレイ装置に表示された主画像中の所定範囲を選択画像として決定し、該選択画像についての画像データである選択画像データを生成する処理、
前記選択画像データを前記記録手段に記録する処理、
前記接続手段を介して、前記記録手段に記録された前記選択画像データを前記携帯情報端末へ送る処理、
を実行させるものとしてコンピュータ可読の形態で記録されている、
記録媒体。